(57)【要約】【課題】プラグ受けカバーの表面に様々な変化を発生させて装飾効果を得て、延長線のプラグ受けカバーの経済性が高い延長線のプラグ受けカバーの装飾構造を提供する。【解決手段】延長線のプラグ受けカバーの装飾構造は、プラグ受けカバー１及び装飾パネル２を備える。プラグ受けカバー１の表面には、槽部１１が凹設される。装飾パネル２の表面には、装飾パターン及び装飾文字の一方又は両方を含む装飾表面が設けられ、装飾表面２１が外方を向いた状態で装飾パネル２が槽部１１中に対応して取り付けられる。装飾パネル２と槽部１１とは、接着層を介して接着される。槽部１１は、複数の挿入孔１２を有する。装飾パネル２は、槽部１１に対応した箇所に挿入片２２が設けられる。挿入片２２の末端には、フック部が設けられる。挿入孔１２中には、挿入片２２が対応して挿入される。【選択図】図１
0003207896.tif 000002
【実用新案登録請求の範囲】
【請求項１】
プラグ受けカバー及び装飾パネルを備えた延長線のプラグ受けカバーの装飾構造であって、
前記プラグ受けカバーの表面には、槽部が凹設され、
前記装飾パネルの表面には、装飾パターン及び装飾文字の一方又は両方を含む装飾表面が設けられ、前記装飾表面が外方を向いた状態で前記装飾パネルが前記槽部中に対応して取り付けられることを特徴とする、
延長線のプラグ受けカバーの装飾構造。
【請求項２】
前記装飾パネルと前記槽部とは、接着層を介して接着されることを特徴とする請求項１に記載の延長線のプラグ受けカバーの装飾構造。
【請求項３】
前記槽部は、複数の挿入孔を有し、前記装飾パネルは、前記槽部に対応した箇所に挿入片が設けられ、前記挿入片の末端には、フック部が設けられ、前記挿入孔中には、前記挿入片が対応して挿入されることを特徴とする請求項１に記載の延長線のプラグ受けカバーの装飾構造。
【考案の詳細な説明】
【技術分野】
【０００１】
本考案は、延長線のプラグ受けカバーの装飾構造に関し、特に、延長線のプラグ受けカバーの表面を装飾し、プラグ受けカバーの表面の見栄えを良くする装飾効果を得て、延長線のプラグ受けカバーの経済性が高い、延長線のプラグ受けカバーの装飾構造に関する。
【背景技術】
【０００２】
部屋の壁に敷設してあるコンセント（電源供給用のプラグの差込口）は、２口又は３口しかないのが一般的であり、自宅、事務所、店舗などで口数を超えた数の電気製品を同時に使用したくても、使用は困難であった。また、電気製品自体の電源線の長さには限度があるため、電気製品の設置位置は、電源線の長さにより制限され、使用者が設置したい場所に電気製品を置くことは困難であった。
【０００３】
そのため、多数の口数を有する延長線のプラグ受けが開発されている。しかし、従来から市販されている延長線のプラグ受けのカバーは、内部構造により制限され、その形状が矩形状を呈しているため、細部のラインに装飾を加えたり、カバーの色を変化させたりすることくらいしかできず、全体的に生活に彩りを添える装飾効果は得られなかった。
【０００４】
本考案者は、従来の延長線のプラグ受けを実際に使用する際に発生する欠点に鑑み、本考案を案出した。
【考案の概要】
【考案が解決しようとする課題】
【０００５】
本考案の目的は、延長線のプラグ受けカバー表面を装飾し、延長線のプラグ受けを卓面上に設置し、卓面を整頓して見た目を良くし、延長線のプラグ受けカバーの経済性を高める、延長線のプラグ受けカバーの装飾構造を提供することにある。
【課題を解決するための手段】
【０００６】
上記課題を解決するために、本考案の第１の形態によれば、プラグ受けカバー及び装飾パネルを備えた延長線のプラグ受けカバーの装飾構造であって、前記プラグ受けカバーの表面には、槽部が凹設され、前記装飾パネルの表面には、装飾パターン及び装飾文字の一方又は両方を含む装飾表面が設けられ、前記装飾表面が外方を向いた状態で前記装飾パネルが前記槽部中に対応して取り付けられることを特徴とする、延長線のプラグ受けカバーの装飾構造が提供される。
【０００７】
前記装飾パネルと前記槽部とは、接着層を介して接着されることが好ましい。
【０００８】
前記槽部は、複数の挿入孔を有し、前記装飾パネルは、前記槽部に対応した箇所に挿入片が設けられ、前記挿入片の末端には、フック部が設けられ、前記挿入孔中には、前記挿入片が対応して挿入されることが好ましい。
【考案の効果】
【０００９】
本考案の延長線のプラグ受けカバーの装飾構造は、装飾パネルを含む。装飾パネルは、装飾パターン及び装飾文字の一方又は両方を含むものを表示する。プラグ受けカバーには、装飾パネルが結合され、プラグ受けカバーに装飾効果を持たせ、卓面を整頓して見た目を良くし、プラグ受けカバーの経済性を高める。
【図面の簡単な説明】
【００１０】
【図１】本考案の一実施形態に係る延長線のプラグ受けカバーの装飾構造のプラグ受けカバー及び装飾パネルを示す分解斜視図である。
【図２】本考案の一実施形態に係る延長線のプラグ受けカバーの装飾構造の装飾パターンを有する装飾パネルとプラグ受けカバーとを示す分解斜視図である。
【図３】本考案の一実施形態に係る延長線のプラグ受けカバーの装飾構造の装飾パターンを有する装飾パネルとプラグ受けカバーとを示す斜視図である。
【図４】本考案の一実施形態に係る延長線のプラグ受けカバーの装飾構造の装飾パネルとプラグ受けカバーとを示す組立断面図である。
【図５】本考案の他の実施形態に係る延長線のプラグ受けカバーの装飾構造の装飾パネルとプラグ受けカバーとを示す組立断面図である。
【考案を実施するための形態】
【００１１】
本考案の技術手段及びそれにより達成可能な効果を、より完全かつ明白に開示するために、開示した添付の図面及び符号と併せて本考案を以下詳説する。
【００１２】
図１を参照する。図１は、本考案の一実施形態に係る延長線のプラグ受けカバーの装飾構造のプラグ受けカバー及び装飾パネルを示す分解斜視図である。
【００１３】
図１に示すように、本考案の一実施形態に係る延長線のプラグ受けカバーの装飾構造は、少なくともプラグ受けカバー１及び装飾パネル２から構成されてなる。
【００１４】
プラグ受けカバー１の表面には、槽部１１が凹設されている。
【００１５】
プラグ受けカバー１が結合される面と表裏の関係にある装飾パネル２の表面には、装飾表面２１が設けられている。装飾表面２１は、装飾パターン及び装飾文字の一方又は両方を含む（図２を参照する）。
【００１６】
図１、図３及び図４を同時に参照する。実際に組み立てる際、プラグ受けカバー１に凹設された槽部１１中に接着層３を貼設するか、装飾表面２１と表裏の関係にある装飾パネル２の表面に接着層３を貼着し、プラグ受けカバー１の槽部１１中に装飾パネル２を対応して配設し、接着層３にプラグ受けカバー１を接着させて槽部１１中に装飾パネル２を固定する。
【００１７】
本考案の一実施形態において、プラグ受けカバー１の槽部１１中には、複数の挿入孔１２が形成されている。装飾パネル２は、槽部１１の挿入孔１２に対応した箇所に挿入片２２を有し、挿入孔１２中に挿入片２２を対応して挿入し、プラグ受けカバー１の槽部１１内に装飾パネル２を位置決めさせる。
【００１８】
本考案の他の実施形態において、挿入片２２の末端には、フック部２２１が設けられている（図５を参照する）。挿入孔１２に挿入片２２が対応して挿入された後、フック部２２１を挿入孔１２の周縁に掛止し、プラグ受けカバー１中に装飾パネル２を確実に固定し、装飾パネル２とプラグ受けカバー１の槽部１１との間に、接着層３が形成されていない状態にしてもよい。
【００１９】
本考案の延長線のプラグ受けカバーの装飾構造には、装飾パターン及び装飾文字の一方又は両方を含むものを表示する装飾パネル２が立設されている上、プラグ受けカバー１の表面に装飾パネル２が結合され、プラグ受けカバー１の表面に様々な変化を発生させて装飾効果を得ることができるため、延長線のプラグ受けカバーの経済性が高い。
【符号の説明】
【００２０】
１      プラグ受けカバー
２      装飾パネル
３      接着層
１１    槽部
１２    挿入孔
２１    装飾表面
２２    挿入片
２２１  フック部
【図１】
0003207896.tif 000003
【図２】
0003207896.tif 000004
【図３】
0003207896.tif 000005
【図４】
0003207896.tif 000006
【図５】
0003207896.tif 000007